(57)【要約】【課題】電極板型と貼付型とを手軽に切替えて使用することの可能な生体電気インピーダンス測定装置を提供すること。【解決手段】本発明の生体電気インピーダンス測定装置は、生体の２部位間に通電するための少なくとも一組の電極板型の通電電極と、通電電流経路中の電位差を測定するための少なくとも一組の電極板型の測定電極と、生体の２部位間に通電するための少なくとも一組の貼付型の通電電極と、通電電流経路中の電位差を測定するための少なくとも一組の貼付型の測定電極と、通電電流値と測定電圧値とに基づいて生体電気インピーダンスを算出する演算装置を有する本体とを備えてなる。【選択図】図１
2006015039.tif 000002
【特許請求の範囲】
【請求項１】
生体の２部位間に通電するための少なくとも一組の電極板型の通電電極と、通電電流経路中の電位差を測定するための少なくとも一組の電極板型の測定電極と、生体の２部位間に通電するための少なくとも一組の貼付型の通電電極と、通電電流経路中の電位差を測定するための少なくとも一組の貼付型の測定電極と、通電電流値と測定電圧値とに基づいて生体電気インピーダンスを算出する演算装置を有する本体とを備えてなることを特徴とする生体電気インピーダンス測定装置。
【請求項２】
少なくとも前記貼付型の通電電極と前記貼付型の測定電極とが、本体に対して着脱可能とされていることを特徴とする請求項１に記載の生体電気インピーダンス測定装置。
【請求項３】
前記貼付型の通電電極と前記貼付型の測定電極とを用いて生体電気インピーダンスの測定を行う場合に各電極を貼付すべき生体の部位を指示する貼付部位指示装置を更に備え、前記演算装置は、通電電流値と測定電圧値とに基づいて生体電気インピーダンスを算出すると共に、算出された生体電気インピーダンスを指示された部位に応じた回帰式に代入して生体の体組成を算出することを特徴とする請求項１又は２に記載の生体電気インピーダンス測定装置。
【発明の詳細な説明】
【技術分野】
【０００１】
本発明は、生体電気インピーダンスの測定装置に関し、より詳しくは、電極板型と貼付型との２種類の電極を使用することのできる生体電気インピーダンス測定装置に関する。
【背景技術】
【０００２】
生体の２部位間に微弱電流を通電すると共にこの電流経路中の２部位間の電位差を測定し、これら電流値と電位差（電圧値）とから生体電気インピーダンスを測定する装置が知られている。このような生体電気インピーダンス測定装置は、例えば人体の生体電気インピーダンスを測定し、その人の身長、体重、性別、年齢等の個人データと共に測定された生体電気インピーダンスを所定の回帰式に代入して、その人の体脂肪、内臓脂肪、体水分、筋肉、骨、基礎代謝等といった体組成を算出する所謂体組成計に応用されている。
【０００３】
このような生体電気インピーダンス測定装置において、電流供給や電圧測定のために生体と接触する電極には、大きく分けて２種類のものがある。その１つは、金属製又は導電材を蒸着させた樹脂製の「電極板型」であり（例えば、特許文献１参照）、他の１つは、導電ゲル等を用いた「貼付型」である（例えば、特許文献２及び３参照）。
【０００４】
【特許文献１】特開２００１−１０４２７２号公報
【特許文献２】国際公開第９８／３６６８６号パンフレット
【特許文献３】米国特許第４００８７２１号明細書
【発明の開示】
【発明が解決しようとする課題】
【０００５】
電極板型の電極は、足裏が接触するようにその上に乗ったり、これを手で握ったりするだけで、生体電気インピーダンスの測定を容易に行うことができるという長所を持つ。しかしながら、電極板型の電極は、その電極板の形状によっては生体との間の接触面積が小さくなって接触インピーダンスが大きくなるという短所を持つ。また、接触する皮膚が乾燥気味な場合にも、接触インピーダンスは増大する。接触インピーダンスの増大は、生体電気インピーダンスの測定を不安定なものにしてしまう。また、電極板を手で握る場合には、筋肉形状や血流の変化が起こり、測定値に影響を及ぼすことがある。また、電極板に接触させる手足に障害がある被測定者の場合（四肢がない場合等）や、寝たきりで電極板上に立つことや電極を握ることができない被測定者の場合には、電極板型は使用することができない。
【０００６】
一方、貼付型の電極は、生体電気インピーダンスの測定を安定して行えるという長所を持つ。即ち、貼付型は、生体との接触部がゲル状であることが多く、従って皮膚表面と密に接触するため、電極板型の如く接触インピーダンスが増大するという問題は生じ難い。また、ゲル状の電極は水分含有率が高いため、皮膚の乾きによる影響も受け難い。また、電極を握るなどの動作による筋肉形状の変化や血流の変化に起因した生体電気インピーダンスの変化も生じ難い。しかしながら、貼付型の電極は、身体の指定箇所に電極を貼付しなければならないなど、その取扱いが面倒で、簡便な生体電気インピーダンス測定には不向きであるという短所を持つ。集団検診のように多数の被測定者について生体電気インピーダンスの測定を行う場合には、非常に時間がかかってしまう。また、通常、貼付型は、その電極が使い捨てなので、コスト面でも問題となる。
【０００７】
このように、電極板型にも貼付型にもそれぞれの長所と短所とがあり、どちらが優れているとは一概には言えない。被測定者の状態に応じ、測定の安定性、簡便性等の観点から、これらを使い分けることが望ましい。しかしながら、従来の生体電気インピーダンス測定装置では、電極板型と貼付型の何れか一方の電極しか採用されておらず、これらを使い分けるには、それぞれの型を採用した２種類の装置を用意しなければならなかった。従って、本発明は、電極板型と貼付型とを手軽に切替えて使用することの可能な生体電気インピーダンス測定装置を提供することを目的とする。
【課題を解決するための手段】
【０００８】
本発明の生体電気インピーダンス測定装置は、生体の２部位間に通電するための少なくとも一組の電極板型の通電電極と、通電電流経路中の電位差を測定するための少なくとも一組の電極板型の測定電極と、生体の２部位間に通電するための少なくとも一組の貼付型の通電電極と、通電電流経路中の電位差を測定するための少なくとも一組の貼付型の測定電極と、通電電流値と測定電圧値とに基づいて生体電気インピーダンスを算出する演算装置を有する本体とを備えてなるものである。
【０００９】
ここで、本発明の生体電気インピーダンス測定装置は、少なくとも前記貼付型の通電電極と前記貼付型の測定電極とが、本体に対して着脱可能とされていることが望ましい。
【００１０】
また、本発明の生体電気インピーダンス測定装置は、前記貼付型の通電電極と前記貼付型の測定電極とを用いて生体電気インピーダンスの測定を行う場合に各電極を貼付すべき生体の部位を指示する貼付部位指示装置を更に備えると共に、前記演算装置が、通電電流値と測定電圧値とに基づいて生体電気インピーダンスを算出すると共に、算出された生体電気インピーダンスを指示された部位に応じた回帰式に代入して生体の体組成を算出するものであることが望ましい。
【発明の効果】
【００１１】
本発明の生体電気インピーダンス測定装置では、電極板型と貼付型の両方の電極を備えているため、それぞれの型の電極を採用した２種類の装置を用意することなく、被測定者の状態に応じ、測定の安定性、簡便性等の観点から、これら電極板型の電極と貼付型の電極とを手軽に切替えて使用することが可能となる。
【００１２】
ここで、貼付型の通電電極と貼付型の測定電極とを本体に対して着脱可能とした場合には、電極板型の電極を用いて簡便性を重視した測定を行う際に、これら貼付型の電極を本体から取外しておくことができる。貼付型の電極は、生体の様々な部位に電極を貼付することを想定しているため、本体に対して比較的長い電気ケーブルで接続されることになる。長い電気ケーブルはその取り回しが煩雑であるため、簡便性重視の測定時には文字通り無用の長物となる。従って、貼付型の電極を着脱可能としておくことで、電極板型の電極を用いる際にはこれを取外し、測定の簡便性を高めることが可能となる。
【００１３】
また、貼付型の電極を貼付すべき部位を貼付部位指示装置により指示すると共に、演算装置では、生体電気インピーダンスを算出すると共にこの算出された生体電気インピーダンスを指示された部位に応じた回帰式に代入して生体の体組成を算出するようにした場合には、生体電気インピーダンスの測定を安定して行うと共に、生体電気インピーダンスに基づく体組成の算出を正確に行うことが可能となる。体組成を算出するための回帰式は、生体電気インピーダンスの測定対象区間、即ち、電極の貼付部位に応じて最適なものに変更する必要がある。従って、貼付型の電極を貼付すべき部位を貼付部位指示装置により指示すると共に、指示された部位に応じた回帰式を用いて体組成を算出するようにしておくことで、安定性の高い生体電気インピーダンス測定と正確な体組成算出が可能となる。
【発明を実施するための最良の形態】
【００１４】
本発明の生体電気インピーダンス測定装置は、生体の２部位間に通電するための少なくとも一組の電極板型の通電電極と、通電電流経路中の電位差を測定するための少なくとも一組の電極板型の測定電極と、生体の２部位間に通電するための少なくとも一組の貼付型の通電電極と、通電電流経路中の電位差を測定するための少なくとも一組の貼付型の測定電極と、通電電流値と測定電圧値とに基づいて生体電気インピーダンスを算出する演算装置を有する本体とを備えてなるものである。
【００１５】
ここで、本発明の生体電気インピーダンス測定装置は、少なくとも前記貼付型の通電電極と前記貼付型の測定電極とが、本体に対して着脱可能とされていることが望ましい。
【００１６】
また、本発明の生体電気インピーダンス測定装置は、前記貼付型の通電電極と前記貼付型の測定電極とを用いて生体電気インピーダンスの測定を行う場合に各電極を貼付すべき生体の部位を指示する貼付部位指示装置を更に備えると共に、前記演算装置が、通電電流値と測定電圧値とに基づいて生体電気インピーダンスを算出すると共に、算出された生体電気インピーダンスを指示された部位に応じた回帰式に代入して生体の体組成を算出するものであることが望ましい。
【実施例１】
【００１７】
本発明の好適な第一の実施例を、図面を用いて説明する。図１は、本発明による生体電気インピーダンス測定装置を応用した体組成計１の外観図である。図２は、この体組成計１の電極部分の外観図である。図３は、この体組成計１で実行される制御処理を示すフローチャートである。図４は、この体組成計１の表示画面の表示例である。
【００１８】
図１に示すように、体組成計１は、手用の電極と足用の電極とからなる所謂８電極式の生体電気インピーダンス測定装置が搭載された公知の体組成計を改良したものであって、側面視で略Ｌ字型の本体１０と、本体１０に取り付けられた複数の電極２１、２２、２３、２４、３１、３２、３３、３４、４１、４２、４３、４４と、本体１０の内部に組込まれた制御装置（不図示）とを備えてなる。
【００１９】
本体１０は、床面に設置される基台１１と、基台１１上に載置された載台１２と、基台１１から鉛直方向に延びた支柱の上端部に配設された操作部１３とからなる。基台１１と載台１２とは、本体１０の内部で制御装置に電気的に接続された歪ゲージを利用した公知のロードセルを介して接続されており、被測定者が載台１２の上面１２ａに立つと、被測定者の体重に応じた荷重がロードセルで検出されて制御装置に取込まれる。一方、操作部１３には、本体１０の内部で制御装置に電気的に接続された公知の液晶画面１４が配設されている。この液晶画面１４は、この体組成計１で取得される各種データ等の表示に用いられることはもちろん、所謂タッチパネルセンサ機能を備えており、被測定者の個人データの入力等にも用いられるものである。
【００２０】
載台１２は、その上面１２ａが絶縁材料（樹脂）にて構成されており、この上面１２ａに、被測定者の足裏に接触させるための金属製の電極２１、２２、２３、２４が配設されている。これらの電極は、本体１０の内部で制御装置に電気的に接続されており、より詳しくは、電極２１と電極２２とが制御装置に含まれる電流供給部に接続され、電極２３と電極２４とが制御装置に含まれる電圧測定部に接続されている。従って、被測定者が載台１２の上面１２ａに立つと、電極２１と電極２２とが左右夫々の足裏の爪先側に接触して両足間に通電され、電極２３と電極２４とが左右夫々の足裏の踵側に接触して両足間の電位差が測定される。
【００２１】
即ち、電極２１、２２が生体の２部位たる両足間に通電するための一組の電極板型の通電電極を構成し、電極２３、２４が通電電流経路たる両足間の電位差を測定するための一組の電極板型の測定電極を構成するものである。
【００２２】
操作部１３には、被測定者の掌に接触させるための電極３１、３２、３３、３４が接続されている。これらの電極は、片手で握るのに適した形状、大きさに形成された絶縁材料（樹脂）製のハンドグリップ３５、３６の表面に、導電材を蒸着（メッキ）させてなるもので、左手用ハンドグリップ３５の表面には電極３１と電極３３とが、右手用ハンドグリップ３６の表面には電極３２と電極３４とが夫々配設されている。尚、図１において、電極３３、３４は、ハンドグリップ３５、３６の裏面に位置している（図２参照）。各ハンドグリップ３５、３６は、夫々がその一端部から延び出した電気ケーブル３７、３８を介して操作部１３に接続されており、各電極３１、３２、３３、３４は、これら電気ケーブル３７、３８を介して本体１０内部の制御装置に電気的に接続されている。より詳しくは、電極３１と電極３２とが制御装置に含まれる電流供給部に接続され、電極３３と電極３４とが制御装置に含まれる電圧測定部に接続されている。従って、被測定者がハンドグリップ３５、３６を左右夫々の手で握ると、電極３１と電極３２とが左右夫々の手の指先側に接触して両手間に通電され、電極３３と電極３４とが左右夫々の手の掌側に接触して両手間の電位差が測定される。
【００２３】
即ち、電極３１、３２が生体の２部位たる両手間に通電するための一組の電極板型の通電電極を構成し、電極３３、３４が通電電流経路たる両手間の電位差を測定するための一組の電極板型の測定電極を構成するものである。
【００２４】
更に、ハンドグリップ３５、３６には、被測定者の身体の任意の箇所に接触させるための電極４１、４２、４３、４４が接続されている。これらの電極は、身体との接触面に導電ゲルを用いたシール状の電極であって、左手用ハンドグリップ３５には、電気ケーブル３７の延出部と反対側の端部において、電極４１と電極４３とが夫々電気ケーブル４１ａ、４３ａを介して接続され、右手用ハンドグリップ３６には、電気ケーブル３８の延出部と反対側の端部において、電極４２と電極４４とが夫々電気ケーブル４２ａ、４４ａを介して接続されている。即ち、電極４１、４３は、夫々電気ケーブル４１ａ、４３ａ及び電気ケーブル３７を介して本体１０内部の制御装置に電気的に接続され、電極４２、４４は、夫々電気ケーブル４２ａ、４４ａ及び電気ケーブル３８を介して本体１０内部の制御装置に電気的に接続されている。より詳しくは、電極４１と電極４２とが制御装置に含まれる電流供給部に接続され、電極４３と電極４４とが制御装置に含まれる電圧測定部に接続されている。従って、電極４１と電極４２とを身体の任意の２部位に接触させるとこの２部位間に通電され、この通電経路中の任意の２部位に電極４３と電極４４とを接触させるとこの２部位間の電位差が測定される。
【００２５】
即ち、電極４１、４２が生体の２部位間に通電するための一組の貼付型の通電電極を構成し、電極４３、４４が通電電流経路中の２部位間の電位差を測定するための一組の貼付型の測定電極を構成するものである。
【００２６】
一方、本体１０の内部に組込まれた制御装置には、前述の電流供給部及び電圧測定部の他にも、これら電流供給部及び電圧測定部と各電極との接続を選択的に切替えるための切替部、切替部により選択された通電電極を介して被測定者の身体に供給される電流値と切替部により選択された測定電極を介して測定された電位差とに基づいてこの測定電極間の生体電気インピーダンスを算出する演算部、算出された生体電気インピーダンスとタッチパネルセンサとしての液晶画面１４から入力された被測定者の身長、体重、性別、年齢等の個人データとに基づいて体脂肪量（率）、内臓脂肪面積、体水分量（率）、筋肉量（率）、骨量、基礎代謝量等といった体組成を算出する演算部等が含まれている。
【００２７】
ここで、貼付型の通電電極たる電極４１、４２と、貼付型の測定電極たる電極４３、４４とは、本体１０に対して着脱可能とされている。図２には、左手用ハンドグリップ３５と電極４１、４３とが示されているが、図２の如く、電極４１をハンドグリップ３５に接続する電気ケーブル４１ａは、電極４１と反対側の端部が雄型のピンコネクタ４１ｂとされており、ハンドグリップ３５の端部に形成された雌型のコネクタ孔３５ａに対して着脱可能とされている。電極４３も同様に、電気ケーブル４３ａの雄型ピンコネクタ４３ｂが、ハンドグリップ３５の雌型コネクタ孔３５ｂに対して着脱可能とされている。図示は省略されているが、右手用ハンドグリップ３６と電極４２（電気ケーブル４２ａ）及び電極４４（電気ケーブル４４ａ）との間も同様に着脱可能とされている。この結果、通常時、即ち、特に安定性の高い生体電気インピーダンス測定を行う必要に迫られておらず、且つ、被測定者がその四肢に特段の障害等を持っている訳でなければ、貼付型の電極４１、４２、４３、４４は本体１０から取外し、この体組成計１は、一般的な８電極式の体組成計として使用することができる。
【００２８】
図３は、体組成計１の制御装置で実行される制御処理のフローチャートである。体組成計１に電源が投入されると、制御装置がイニシャライズされ、貼付型の電極４１、４２、４３、４４が本体１０（ハンドグリップ３５、３６）に接続されているか否かの確認処理が行われる（ステップＳ１）。この確認処理は、電気的な処理であっても、人為的な処理であってもよい。
【００２９】
貼付型の電極４１、４２、４３、４４が接続されていない場合、制御装置は、電極板型の電極２１、２２、２３、２４、３１、３２、３３、３４を用いて生体電気インピーダンスの測定及び体組成の算出を行うこととして、入力待機常態となる（ステップＳ２）。その後、被測定者又は操作オペレータが液晶画面１４から被測定者の性別、年齢、身長といった個人データを入力し（ステップＳ３）、被測定者が載台１２の上面１２ａに立つと被測定者の体重が測定される（ステップＳ４）。次いで、被測定者が左右夫々の手にハンドグリップ３５、３６を握ると、生体電気インピーダンスの測定が行われる（ステップＳ５）。
【００３０】
尚、このステップＳ５における生体電気インピーダンスの測定は、所謂部位別のインピーダンス測定となっている。即ち、被測定者の左足裏には電極２１、２３が接触し、右足裏には電極２２、２４が接触し、左手には電極３１、３３が接触し、右手には電極３２，３４が接触している状態で、制御装置に含まれる切替部が、各電極と電流供給部及び電圧測定部の接続を選択的に切替える。例えば、先ずは電極２１と電極２２とを電流供給部に接続して両足間に通電させ、電極２３と電極３３とを電圧測定部に接続して左足と左手との間の電位差を測定する。電流通電経路は両足間であるが、電圧測定経路は左の手足間であるため、実際に測定される電位差は、左足の先と付け根との間の電位差となる。従って、この時の通電電流値と測定電位差とに基づいて演算部で算出されるインピーダンスは、左足のインピーダンスとなる。次に、切替部は、電極２１、２２の接続を維持したまま（両足間に通電させたまま）、電極２４と電極３４とを電圧測定部に接続して右の手足間の電位差を測定する。この結果算出されるインピーダンスは、右足のインピーダンスとなる。次に、電極３１と電極３２とを電流供給部に接続して両手間に通電させ、電極２３と電極３３とを電圧測定部に接続して左手足間の電位差を測定することで、左手のインピーダンスが算出される。両手間の通電を維持したまま電極２４と電極４４とを電圧測定部に接続して右手足間の電位差を測定することで、右手のインピーダンスが算出される。最後に、切替部は、電極２１と電極３１とを電流供給部に接続して左の手足間に通電させ、電極２４と電極４４とを電圧測定部に接続して右の手足間の電位差を測定させる。この結果算出されるインピーダンスは、通電経路と測定経路とが重複する体幹部のインピーダンスとなる。身体部位別のインピーダンスを求めることで、後述する体組成の算出を身体部位別に行うことができる等、きめ細かい測定を可能とするものであるが、部位別測定自体は既に公知であり、且つ、本発明の要部には特に関係しないので、これ以上の説明は割愛する。
【００３１】
また、ステップＳ５における生体電気インピーダンスの測定は、所謂マルチ周波数測定である。即ち、比較的低周波な電流と比較的高周波な電流とを切替えて身体に供給し、夫々の周波数においてインピーダンスと位相差を測定してその結果から細胞外液抵抗と細胞内液抵抗とを算出するものである。単一周波数の電流を用いて測定された生体電気インピーダンスに比して、体内の水分移動（日内変動）に伴う測定誤差を生じ難く、測定精度が向上するものであるが、マルチ周波数測定自体は既に公知であり、且つ、本発明の要部には特に関係しないので、これ以上の説明は割愛する。
【００３２】
ステップＳ３からＳ５で入力され又は測定された被測定者の性別、年齢、身長、体重、及び部位毎の生体電気インピーダンス（細胞外液抵抗、細胞内液抵抗）を所定の回帰式に代入することで、部位毎の体組成を算出する（ステップＳ６）。その後、入力、測定、算出されたこれらのデータを、液晶画面１４に表示して（ステップＳ７）、一連の測定制御を終了する。尚、データ出力は液晶画面１４への表示のみならず、これに加え、又はこれに代えて、プリンタによる印刷出力としても良い。
【００３３】
以上の測定制御は、被測定者の個人データを入力した上で被測定者が載台１２に立ち、左右の手にハンドグリップ３５、３６を握るだけで実行可能であるため、簡便に行うことができる。しかしながら、手足と電極板型の各電極２１、２２、２３、２４、３１、３２、３３、３４との間の接触インピーダンスの影響による測定誤差の発生を完全に避けることは難しく、特に安定した生体電気インピーダンス測定が必要とされる場合には、貼付型の電極を用いることが望まれる。また、被測定者が四肢に何らかの障害を持つなど、載台１２に立つことやハンドグリップ３５、３６を握ることに支障がある場合にも、貼付型の電極を用いることが望まれる。これらの場合には、貼付型の電極４１、４２、４３、４４をハンドグリップ３５、３６の端部に接続して用いることができる。
【００３４】
電源投入後のステップＳ１において、貼付型の電極４１、４２、４３、４４が本体１０（ハンドグリップ３５、３６）に接続されている場合、制御装置は、貼付型の電極４１、４２、４３、４４を用いて生体電気インピーダンスの測定及び体組成の算出を行うこととして、入力待機常態となる（ステップＳ１１）。被測定者又は操作オペレータが液晶画面１４から被測定者の性別、年齢、身長といった個人データを入力し（ステップＳ１２）、被測定者が載台１２の上面１２ａに立つと被測定者の体重が測定される（ステップＳ１３）。ステップＳ１１からステップＳ１３までの制御処理は、ステップＳ２からステップＳ４までの制御処理と同じである。
【００３５】
次に、制御装置は、電極４１、４２、４３、４４を貼付すべき身体の部位を、液晶画面１４に表示することによって被測定者又は操作オペレータに指示する（ステップＳ１４）。具体的には、図４の如く、液晶画面１４には「貼付電極位置の指定」として３つの選択肢「１．手首−手首」「２．肘−肘」「３．肩−肩」が表示される。被測定者又は操作オペレータは、斯かる表示に従い、先ずは被測定者の左手首に通電電極４１及び測定電極４３を、右手首に通電電極４２及び測定電極４４を夫々貼付して、その後、液晶画面１４の「１．手首−手首」を選択する（図中の番号に触れる。）。斯かる選択入力を受け、制御装置は、電極４１、４２、４３、４４を用いて被測定者の両手首間の生体電気インピーダンスを測定する（ステップＳ１５）。即ち、制御装置と液晶画面１４とが、各電極を貼付すべき生体の部位を指示する貼付部位指示装置に相当している。
【００３６】
続いて、液晶画面１４には、生体電気インピーダンスの測定を継続するかどうかの選択肢が表示され、被測定者又は操作オペレータの選択入力に応じて、継続する場合はステップＳ１４に戻り、継続しない場合はステップＳ１７に進む。ステップＳ１４に戻った場合、電極４１、４２、４３、４４を未選択の位置（ここでは、「２．肘−肘」又は「３．肩−肩」）に貼付し、これに対応した選択肢を選択することになる。尚、選択肢の数は３つに限らず、より多くの選択肢を準備しておくことは当然に可能であるし、また、斯かる選択肢の全てを選択して測定する必要もなく、何れの部位を選択するかは被測定者や操作オペレータの任意であることは言うまでもない。また、ステップＳ１５における生体電気インピーダンスの測定は、ステップＳ５の制御処理の際と同じく、マルチ周波数測定とされている。
【００３７】
その後、ステップＳ１２からＳ１５で入力され又は測定された被測定者の性別、年齢、身長、体重、部位毎の生体電気インピーダンス（細胞外液抵抗、細胞内液抵抗）を所定の回帰式に代入することで、部位毎の体組成を算出する（ステップＳ１７）。この体組成の算出は、ステップＳ１４で指示した部位毎の生体電気インピーダンスを各部位に応じた回帰式に代入して行われる。更にその後、入力、測定、算出されたこれらのデータを、液晶画面１４に表示して（ステップＳ１８）、一連の測定制御を終了する。尚、データ出力は液晶画面１４への表示のみならず、これに加え、又はこれに代えて、プリンタによる印刷出力としても良い。
【００３８】
以上の測定制御は、貼付型の電極４１、４２、４３、４４を用いて行われるため、身体部位と電極との間の接触インピーダンスの影響が軽減され、生体電気インピーダンスの測定が安定するものである。また、ハンドグリップ３５、３６を握ることができないような障害を持つ被測定者であっても、生体電気インピーダンスの測定を行うことができる。尚、このステップＳ１１からステップＳ１８までの制御処理においては、被測定者が載台１２に乗ることで体重測定を行う点でステップＳ２からステップＳ７までの制御処理と変わるところがないが、斯かる体重測定が不可能な被測定者にも対応するために、性別、年齢、身長と同じく体重も液晶画面１４から入力するようにすることも当然に可能である。更に、金属板型の電極２１、２２、２３、２４、３１、３２、３３、３４と貼付型の電極４１、４２、４３、４４とを同時に使用して、両手両足に任意の部位を加えて細分化された部位毎の生体電気インピーダンス測定に用いることも可能である。
【実施例２】
【００３９】
本発明の好適な第二の実施例を、図面を用いて説明する。図５は、図１に示した体組成計１の一部を変形した体組成計１´の外観図である。図６は、この体組成計１´の電極部分の外観図である。体組成計１´は、電極板型の手用電極を備えたハンドグリップが本体に対して着脱可能とされ、以って貼付型の電極と電極板型の電極とが交換可能とされている点が図１の体組成計１と相違するもので、その他の点は体組成計１に同じであるので、同一の構成には同一の符号を付すことにより、その詳細説明は割愛する。
【００４０】
図５において、本体１０からは電気ケーブル３７´及び電気ケーブル３８´が延び出しており、各電気ケーブル３７´、３８´の先端にはコネクタ３７ａ´、３８ａ´が配設されている。コネクタ３７ａ´には、貼付型の通電電極４１と貼付型の測定電極４３とが夫々電気ケーブル４１ａ、４３ａを介して接続され、コネクタ３８ａ´には、貼付型の通電電極４２と貼付型の測定電極４４とが夫々電気ケーブル４２ａ、４４ａを介して接続されている。
【００４１】
図６には、電気ケーブル３７´と電極４１、４３とが示されているが、この図６の如く、コネクタ３７ａ´には雌型のコネクタ孔３７ｂ´、３７ｃ´が形成されており、電極４１はその電気ケーブル４１ａの雄型ピンコネクタ４１ｂが雌型コネクタ孔３７ｂ´に対して着脱可能とされている。電極４３も同様に、電気ケーブル４３ａの雄型ピンコネクタ４３ｂが、コネクタ３７ａ´の雌型コネクタ孔３７ｃ´に対して着脱可能とされている。図示は省略されているが、電気ケーブル３８´のコネクタ３８ａ´と電極４２（電気ケーブル４２ａ）及び電極４４（電気ケーブル４４ａ）との間も同様に着脱可能とされている。
【００４２】
また、電気ケーブル３７´のコネクタ３７ａ´には、金属板型の電極３１、３３が配設されたハンドグリップ３５´（電極３１は、図中の裏面側に配設されている。）が着脱可能とされている。ハンドグリップ３５´の一端には、各電極３１、３３に内部で電気的に接続された雄型のピンコネクタ（不図示）が配設されたコネクタ３５ａ´が形成されており、このコネクタ３５ａ´に対して電気ケーブル３７´のコネクタ３７ａ´が着脱可能とされている。図示は省略するが、電気ケーブル３８´に対しても、このハンドグリップ３５´に対応する金属板型の電極を備えたハンドグリップが着脱可能とされている。
【００４３】
この結果、通常時、即ち、特に安定性の高い生体電気インピーダンス測定を行う必要に迫られておらず、且つ、被測定者がその四肢に特段の障害等を持っている訳でなければ、貼付型の電極４１、４２、４３、４４は本体１０から取外し、代りに金属板型の電極を備えたハンドグリップを本体１０に接続して、この体組成計１´は、一般的な８電極式の体組成計として使用することができる。一方、安定性の高い生体電気インピーダンス測定が求められる場合等には、ハンドグリップに代えて貼付型の電極４１、４２、４３、４４を用いることができる。このように、金属板型の電極と貼付型の電極とを交換可能に構成することもできる。
【００４４】
以上、本発明及びその実施の形態について詳述してきたが、本発明は、以上の説明に限定されることなく、特許請求の範囲に記載した構成を備える限りにおいて、実施例と共に紹介した他にも、貼付型の電極の数を更に増やしてよりきめ細かな測定を行えるようにする等、様々な変形や応用が可能である。
【図面の簡単な説明】
【００４５】
【図１】本発明による生体電気インピーダンス測定装置を応用した体組成計１の外観図。
【図２】体組成計１の電極部分の外観図。
【図３】体組成計１で実行される制御処理を示すフローチャート。
【図４】体組成計１の表示画面の表示例を示す図。
【図５】体組成計１の一部を変形した体組成計１´の外観図。
【図６】体組成計１´の電極部分の外観図。
【符号の説明】
【００４６】
１、１´  体組成計
１０  本体
１１  基台
１２  載台
１２ａ  上面
１３  操作部
１４  液晶画面
２１、２２、２３、２４  電極板型の電極（足用電極）
３１、３２、３３、３４  電極板型の電極（手用電極）
３５、３５´、３６  ハンドグリップ
３５ａ、３５ｂ  雌型コネクタ孔
３５ａ´  コネクタ
３７、３８、３７´、３８´  電気ケーブル
３７ａ´、３８ａ´  コネクタ
３７ｂ´、３７ｃ´  雌型コネクタ孔
４１、４２、４３、４４  貼付型の電極
４１ａ、４２ａ、４３ａ、４４ａ  電気ケーブル
４１ｂ、４３ｂ  雄型ピンコネクタ
【図１】
2006015039.tif 000003
【図２】
2006015039.tif 000004
【図３】
2006015039.tif 000005
【図４】
2006015039.tif 000006
【図５】
2006015039.tif 000007
【図６】
2006015039.tif 000008